(57)【要約】【課題】実環境における性能評価を容易とする読取範囲調査システムを提供する。【解決手段】表示制御装置５は、リーダライタ４と情報の授受を行なう通信部１０と、リーダライタ４とＩＣタグ２との通信に係る通信結果を判定する通信結果判定部１１と、通信結果判定部１１による判定結果と試行したＩＣタグ２に係るＩＤとを対応付けて記憶する通信結果記憶部１５と、通信結果記憶部１５に記憶された通信結果をマトリックス状に展開して表示データに変換する変換部１４と、変換部１４により変換された表示データを表示部フォーマットに変換する表示制御部１３と、全体を制御する制御部１２と、を備えて構成されている。【選択図】図２
2010134834.tif 000002
【特許請求の範囲】
【請求項１】
電波を利用した非接触情報記録媒体の位置を取得し、該位置を比較基準とすることにより、該非接触情報記録媒体の読取範囲を調査する読取範囲調査システムであって、
電波を利用して非接触情報記録媒体に対して情報の読み書きを行うリーダライタと、所定の速度により前記非接触情報記録媒体を一定方向に移動させる移動手段と、該移動手段により移動される前記非接触情報記録媒体に係る情報を前記リーダライタにより受信して、該情報の受信状態を通信結果として時系列で表示する表示制御装置と、を備え、
前記表示制御装置は、前記通信結果を時系列に又は位置を基準にマトリックス状に配列して表示することを特徴とする読取範囲調査システム。
【請求項２】
前記表示制御装置は、前記通信結果を判定する通信結果判定部と、該通信結果判定部による判定結果と通信対象とした非接触情報記録媒体とを対応付けて記憶する通信結果記憶部と、前記非接触情報記録媒体との通信を行う際に、該非接触情報記録媒体の位置を計算する位置計算手段と、前記通信結果記憶部に記憶された通信結果をマトリックス状に展開して表示データに変換する変換部と、該変換部により変換された表示データを表示部フォーマットに変換する表示制御部と、を備えていることを特徴とする請求項１に記載の読取範囲調査システム。
【請求項３】
前記表示制御装置は、前記リーダライタに接続されたアンテナ近傍を前記非接触情報記録媒体が通過した時間を基準として、前記非接触情報記録媒体を特定するＩＤ情報を時間軸を揃えて前記通信結果と共に時系列で表示することを特徴とする請求項１又は２に記載の読取範囲調査システム。
【請求項４】
前記表示制御装置は、前記移動手段が等速で移動する場合には、該速度情報を前記非接触情報記録媒体の位置情報に変換して表示することを特徴とする請求項１又は２に記載の読取範囲調査システム。
【請求項５】
前記表示制御装置は、前記位置情報に係る通信結果を通信成功率として表示することを特徴とする請求項１又は２に記載の読取範囲調査システム。
【請求項６】
前記表示制御装置は、１つの非接触情報記録媒体との間の通信により得られる通信結果と、複数の非接触情報記録媒体に対して同時に通信をした場合に得られる通信結果を最大受信強度、又は前記通信成功率順にソートして表示することを特徴とする請求項１又は２に記載の読取範囲調査システム。
【請求項７】
前記表示制御装置は、前記受信強度に基づいて前記非接触情報記録媒体ごとの情報を数字、記号、又は色別に表示することを特徴とする請求項６に記載の読取範囲調査システム。
【発明の詳細な説明】
【技術分野】
【０００１】
本発明は、読取範囲調査システムに関し、さらに詳しくは、所定の速度で搬送されるＲＦＩＤタグが、アンテナ周辺のどこで読取可能かを分かり易く表示して、読取範囲を調査する技術に関するものである。
【背景技術】
【０００２】
電波を利用したＲＦＩＤタグにおいて、適切な電波出力値を設定するためには、その読取範囲を事前に調査する必要がある。実動作により検証する際には、ＲＦＩＤタグの最大受信強度や、通信回数などを判断材料とすることもできるが、直感的でなく、ヌル点（通信可能距離でも読み書きが不可能な位置）の存在や、ＲＦＩＤタグの指向性の影響を評価することは困難であった。
特許文献１には、適合したＲＦＩＤタグと非適合のＲＦＩＤタグを識別しやすくするために、適合したＲＦＩＤタグの表示を明暗反転するＲＦＩＤタグと表示システムについて開示されている。
【特許文献１】特開２００６−８５４１３公報
【発明の開示】
【発明が解決しようとする課題】
【０００３】
しかしながら、特許文献１に開示されている従来技術は、ＲＦＩＤタグに表示のための素子と、その周辺回路を付加する必要があり、ＲＦＩＤタグのコストが高くなるといった問題がある。
本発明は、かかる課題に鑑みてなされたものであり、移動手段により移動するＲＦＩＤタグからの情報の読取結果（読取成功の可否）を連続的に記録してＲＦＩＤタグの位置情報を取得し、それを比較基準として複数のＲＦＩＤタグを相対的にマトリックス表示することにより、実環境における性能評価を容易とする読取範囲調査システムを提供することを目的とする。
【課題を解決するための手段】
【０００４】
本発明はかかる課題を解決するために、請求項１は、電波を利用した非接触情報記録媒体の位置を取得し、該位置を比較基準とすることにより、該非接触情報記録媒体の読取範囲を調査する読取範囲調査システムであって、電波を利用して非接触情報記録媒体に対して情報の読み書きを行うリーダライタと、所定の速度により前記非接触情報記録媒体を一定方向に移動させる移動手段と、該移動手段により移動される前記非接触情報記録媒体に係る情報を前記リーダライタにより受信して、該情報の受信状態を通信結果として時系列で表示する表示制御装置と、を備え、前記表示制御装置は、前記通信結果を時系列に又は位置を基準にマトリックス状に配列して表示することを特徴とする。
本発明では、一定速度で移動するベルトコンベア上の荷物に取り付けられた非接触情報記録媒体からのＩＤ情報をリーダライタにより受信する。表示制御装置は、リーダライタが受信したＩＤ情報が正しく受信できた場合と、受信できない場合とを、例えば「１」、「０」で記憶しておく。そして、所定範囲での読み取りが終了した後に、非接触情報記録媒体のＩＤ情報ごとの通信結果を時系列に又は位置を基準にマトリックス状に配列して表示する。これにより、通信結果を２次元的に表示できるので、実環境における性能評価が容易となり、システムの設置性、メンテネンス性を向上させることができる。
【０００５】
請求項２は、前記表示制御装置は、前記通信結果を判定する通信結果判定部と、該通信結果判定部による判定結果と通信対象とした非接触情報記録媒体とを対応付けて記憶する通信結果記憶部と、前記非接触情報記録媒体との通信を行う際に、該非接触情報記録媒体の位置を計算する位置計算手段と、前記通信結果記憶部に記憶された通信結果をマトリックス状に展開して表示データに変換する変換部と、該変換部により変換された表示データを表示部フォーマットに変換する表示制御部と、を備えていることを特徴とする。
リーダライタが受信したＩＤ情報は、電波強度が弱すぎるとエラーとなり、正しくＩＤ情報を読むことができない。また、電波強度ばかりでなく、周囲の環境によりマルチパスが発生してやはりＩＤ情報が正しく読取れない場合がある。そこで、表示制御装置は、ＩＤ情報が正しく読取れたか否かを判定する通信結果判定部と、判定結果をＩＤ情報と対応付けて記憶する通信結果記憶部と、非接触情報記録媒体との通信を行う際に、この非接触情報記録媒体の位置を計算する位置計算手段と、そこに記憶された通信結果を時系列（例えば、単位時間当たり、或いは所定の距離ごと）にマトリックス状に展開する変換部と、変換部からのデータを表示部フォーマットに変換する表示制御部と、を備えている。これにより、表示制御装置は、リーダライタからの情報を簡単な操作により２次元的なデータに展開して表示することができる。
【０００６】
請求項３は、前記表示制御装置は、前記リーダライタに接続されたアンテナ近傍を前記非接触情報記録媒体が通過した時間を基準として、前記非接触情報記録媒体を特定するＩＤ情報を時間軸を揃えて前記通信結果と共に時系列で表示することを特徴とする。
表示方法の一つとして、アンテナを基準として時間軸を揃えて表示する方法がある。即ち、アンテナの位置を時間「０」として、非接触情報記録媒体がアンテナに近づいてくる時間をマイナス時間とし、アンテナから遠ざかる時間をプラス時間と表すことができる。そして各時間におけるＩＤ情報ごとの通信結果をマトリックス状に表示する。これにより、アンテナに対してどの時間帯が通信結果が良好かを一目瞭然に判断することができる。
請求項４は、前記表示制御装置は、前記移動手段が等速で移動する場合には、該速度情報を前記非接触情報記録媒体の位置情報に変換して表示することを特徴とする。
移動手段の速度が等速の場合は、その速度情報から非接触情報記録媒体の位置に変換することができる。そして、アンテナを基準とすると、アンテナに近づいてくる方向の位置をマイナスとし、アンテナから遠ざかる位置をプラスと表すことができる。そして、各位置におけるＩＤ情報ごとの通信結果をマトリックス状に表示する。これにより、アンテナに対してどの位置が通信結果が良好かを一目瞭然に判断することができる。
【０００７】
請求項５は、前記表示制御装置は、前記表示制御装置は、前記位置情報に係る通信結果を通信成功率として表示することを特徴とする。
各非接触情報記録媒体の時間軸が揃っている場合、各時間帯、或いは各位置における通信結果を成功率として分析することができる。これにより、各時間帯、或いは各位置での情報の信頼性を定量的に把握することができる。
請求項６は、前記表示制御装置は、１つの非接触情報記録媒体との間の通信により得られる通信結果と、複数の非接触情報記録媒体に対して同時に通信をした場合に得られる通信結果を最大受信強度、又は前記通信成功率順にソートして表示することを特徴とする。
非接触情報記録媒体ごとに最大受信強度、又は通信成功率をデータとして取得することにより、そのデータに基づいて順番を並べ替えることができる。これにより、各非接触情報記録媒体のどの特性が優れているか、或いは劣っているかを比較して把握することができる。
請求項７は、前記表示制御装置は、前記受信強度に基づいて前記非接触情報記録媒体ごとの情報を数字、記号、又は色別に表示することを特徴とする。
取得した各非接触情報記録媒体ごとの情報は、結果を見やすく、且つ理解しやすくするために、数値化したり、記号を用いたり、或いは色別に識別することが考えられる。それにより、情報の比較、整理、選別を容易に行うことができる。
【発明の効果】
【０００８】
本発明によれば、所定範囲での読み取りが終了した後に、非接触情報記録媒体のＩＤごとの通信結果を時系列にマトリックス状に配列して表示するので、通信結果を２次元的に表示でき、実環境における性能評価が容易となり、システムの設置性、メンテネンス性を向上させることができる。
また、表示制御装置は、予め既知のＩＤ情報が正しく読取れたか否かを判定する通信結果判定部と、判定結果をＩＤ情報と対応付けて記憶する通信結果記憶部と、非接触情報記録媒体との通信を行う際に、この非接触情報記録媒体の位置を計算する位置計算手段と、そこに記憶された通信結果を時系列にマトリックス状に展開する変換部と、変換部からのデータを表示部フォーマットに変換する表示制御部と、を備えているので、リーダライタからの情報を簡単な操作により２次元的なデータに展開して表示することができる。
また、表示方法の一つとして、アンテナを基準として時間軸を揃えて表示し、各時間におけるＩＤごとの通信結果をマトリックス状に表示するので、アンテナに対してどの時間帯が通信結果が良好かを一目瞭然に判断することができる。
【０００９】
また、移動手段の速度が等速の場合は、その速度情報から非接触情報記録媒体の位置に変換し、各位置におけるＩＤごとの通信結果をマトリックス状に表示するので、アンテナに対してどの位置が通信結果が良好かを一目瞭然に判断することができる。
また、各非接触情報記録媒体の時間軸が揃っている場合、各時間帯、或いは各位置における通信結果を成功率として分析することができるので、各時間帯、或いは各位置での情報の信頼性を定量的に把握することができる。
また、非接触情報記録媒体ごとに最大受信強度、又は試行成功回数をデータとして取得することにより、そのデータに基づいて順番を並べ替えることができるので、各非接触情報記録媒体のどの特性が優れているか、或いは劣っているかを比較して把握することができる。
また、取得した各非接触情報記録媒体ごとの情報は、結果を見やすく、且つ理解しやすくするために、数値化したり、記号を用いたり、或いは色別に識別するので、情報の比較、整理、選別を容易に行うことができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係る読取範囲調査システムの概略構成図である。この読取範囲調査システム１００は、電波を利用してＩＣタグ（非接触情報記録媒体）２に係る情報の読み書きを行うリーダライタ（Ｒ／Ｗ）４と、所定の速度によりＩＣタグ２を一定方向に移動させるベルトコンベア（移動手段）１と、ベルトコンベア１により移動されたＩＣタグ２に係る情報をリーダライタ４により受信して、リーダライタ４とＩＣタグ２との通信に係る通信結果を時系列で表示する表示制御装置５と、を備え、表示制御装置５は、ＩＣタグ２のＩＤ情報ごとの通信結果を時系列に又は位置を基準にマトリックス状に配列して表示部６に表示する。尚、リーダライタ４のアンテナ３は、ベルトコンベア１の略中心に配置されている。また、図１では、実際に稼働中のベルトコンベア１に載置された荷物７に取り付けられたＩＣタグ２の情報をアンテナ３より読取る構成とする。
本発明では、一定速度で移動するベルトコンベア１上の荷物７に取り付けられたＩＣタグ２からのＩＤ情報をリーダライタ４により受信する。表示制御装置５は、リーダライタ４が受信したＩＤ情報が正しく受信できた場合と、受信できない場合とを、例えば「１」、「０」で記憶しておく。そして、所定範囲での読み取りが終了した後に、ＩＣタグ２のＩＤ情報ごとの通信結果を時系列に又は位置を基準にマトリックス状に配列して表示する。これにより、通信結果を２次元的に表示できるので、実環境における性能評価が容易となり、システムの設置性、メンテネンス性を向上させることができる。
【００１１】
図２は表示制御装置の機能を説明するための機能ブロック図である。表示制御装置５は、リーダライタ４と情報の授受を行なう通信部１０と、リーダライタ４とＩＣタグ２との通信に係る通信結果を判定する通信結果判定部１１と、通信結果判定部１１による判定結果と試行したＩＣタグ２に係るＩＤ情報とを対応付けて記憶する通信結果記憶部１５と、ＩＣタグ２との通信を行う際に、ＩＣタグ２の位置を計算するタグ位置計算手段１６と、通信結果記憶部１５に記憶された通信結果をマトリックス状に展開して表示データに変換する変換部１４と、変換部１４により変換された表示データを表示部フォーマットに変換する表示制御部１３と、全体を制御する制御部１２と、を備えて構成されている。また、表示制御部１３はＩＣタグ２のＩＤ情報ごとの通信結果を時系列にマトリックス状に配列して表示部６に表示する。
即ち、リーダライタ４が受信したＩＤ情報は、電波強度が弱すぎるとエラーとなり、正しくＩＤ情報を読むことができない。また、電波強度ばかりでなく、周囲の環境によりマルチパスが発生してやはりＩＤ情報が正しく読取れない場合がある。そこで、表示制御装置５は、予め既知のＩＤ情報が正しく読取れたか否かを判定する通信結果判定部１１と、判定結果をＩＤ情報と対応付けて記憶する通信結果記憶部１５と、ＩＣタグ２との通信を行う際に、ＩＣタグ２の位置を計算するタグ位置計算手段１６と、そこに記憶された通信結果を時系列（例えば、単位時間当たり、或いは所定の距離ごと）にマトリックス状に展開する変換部１４と、変換部１４からのデータを表示部フォーマットに変換する表示制御部１３と、を備えている。これにより、表示制御装置５は、リーダライタ４からの情報を簡単な操作により２次元的なデータに展開して表示することができる。これにより、ＩＣタグの位置決めが必要なくなるので、実運用での調査が容易となるといった効果が有る。
【００１２】
図３は図１の読取範囲調査システムの動作を説明するフローチャートである。尚、図３の動作は、ベルトコンベア１に１つのＩＣタグを載置した場合の動作を説明するフローチャートである。まず表示制御装置５により時間軸をＴ＝−Ｎ（Ｎは正の整数）および、単位時間の回数Ｎ＝ｎを設定する（Ｓ１）。例えば、Ｎ＝５、ｎ＝１０と設定した場合は、図１のベルトコンベア１の左端にＩＣタグ２を載置したとき、ベルトコンベア１を駆動してＩＣタグ２がアンテナ３の正面に到達する時間が約５秒であり、単位時間の回数が１０回であるとした場合である。従って、１秒単位で通信結果を記憶するとしたら、Ｔ＝−５、−４、−３、−２、−１、０、１、２、３、４、５の時間帯に通信結果を記憶することになる。
【００１３】
次に、ベルトコンベア１を駆動して、Ｔ＝−５秒でのＩＣタグ２の情報をリーダライタ４から受信する（Ｓ２）。表示制御部５は通信部１０を介してその情報を受信し、通信結果判定部１１により、受信した情報が正しい情報であるか否かを判定する（Ｓ３）。ここで、判定の方法としては、予めＩＣタグのＩＤ情報を記憶しておき、受信情報と比較することにより、判定することができる。判定の結果、受信が失敗した場合は（Ｓ３でＮＯ）、Ｔ＝−５に対応させて失敗パターンを通信結果記憶部１５に記憶する（Ｓ１１）。ステップＳ３で受信が成功した場合は（Ｓ３でＹＥＳ）、Ｔ＝−５に対応させて成功パターンを通信結果記憶部１５に記憶する（Ｓ４）。次に、単位時間（１秒）が経過したかを判定し（Ｓ５）、経過していなければ（Ｓ５でＮＯ）ステップＳ２に戻って繰り返す。一般的には、ステップＳ２からＳ５までの時間は非常に速いので、１秒間に数回試行することができる。ここでステップＳ５において単位時間が経過すると（Ｓ５でＹＥＳ）、時間軸をインクリメントしてＴ＝−４とする（Ｓ６）。次にＮ＝ｎ（ｎは１０）になったかを判定し、Ｎ＝ｎでなければ（Ｓ７でＮＯ）、ステップＳ２に戻って繰り返す。ステップＳ７でｎ＝１０となると（Ｓ７でＹＥＳ）、通信結果記憶部１５に記憶された通信結果のパターンを読み出す（Ｓ８）。通信結果記憶部１５には、ＩＣタグ２の各時間ごとのパターンが対応付けて記憶されている。そこで、それらのデータを変換部１４によりマトリックス状に展開して表示データに変換する（Ｓ９）。展開したデータを表示制御部１３に渡すことにより表示部６にパターンを表示することができる（詳細は後述する）（Ｓ１０）。以上で１つのＩＣタグの通信結果をパターンに表示することが可能となるので、ベルトコンベア１の異なる位置（幅方向の異なる位置）に別のＩＣタグを載置して以上の一連の動作を繰り返す。
【００１４】
図４は図１の読取範囲調査システムの動作を説明するフローチャートである。尚、図４の動作は、ベルトコンベア１に複数のＩＣタグを載置した場合の動作を説明するフローチャートである。まず表示制御装置５により時間軸をＴ＝−Ｎ（Ｎは正の整数）および、単位時間の回数Ｎ＝ｎを設定する（Ｓ２０）。例えば、Ｎ＝５、ｎ＝１０と設定した場合は、図１のベルトコンベア１の左端にＩＣタグ２を載置したとき、ベルトコンベア１を駆動してＩＣタグ２がアンテナ３の正面に到達する時間が約５秒であり、単位時間の回数が１０回であるとした場合である。従って、１秒単位で通信結果を記憶するとしたら、Ｔ＝−５、−４、−３、−２、−１、０、１、２、３、４、５の時間帯に通信結果を記憶することになる。
【００１５】
次に、ベルトコンベア１を駆動して、Ｔ＝−５秒での複数のＩＣタグ２の情報をリーダライタ４から順次受信する（Ｓ２１）。表示制御部５は通信部１０を介してその情報を受信し、通信結果判定部１１により、受信した情報が正しい情報であるか否かを判定する（Ｓ２２）。ここで、判定の方法としては、予めＩＣタグのＩＤ情報を記憶しておき、受信情報と比較することにより、判定することができる。判定の結果、受信が失敗した場合は（Ｓ２２でＮＯ）、Ｔ＝−５に対応させて失敗パターンを通信結果記憶部１５に記憶する（Ｓ３１）。ステップＳ２２で受信が成功した場合は（Ｓ２２でＹＥＳ）、Ｔ＝−５に対応させて成功パターンを通信結果記憶部１５に記憶する（Ｓ２３）。次に、全てのＩＣタグの受信が終了したかを判定し（Ｓ２４）、全てのＩＣタグの受信が終了していなければ（Ｓ２４でＮＯ）、ステップＳ２１に戻って繰り返す。ステップＳ２４で全てのＩＣタグとの受信が終了すると（２４でＹＥＳ）、単位時間（１秒）が経過したかを判定し（Ｓ２５）、経過していなければ（Ｓ２５でＮＯ）ステップＳ２１に戻って繰り返す。一般的には、ステップＳ２１からＳ２５までの時間は非常に速いので、１秒間に数回試行することができる。ここでステップＳ２５において単位時間が経過すると（Ｓ２５でＹＥＳ）、時間軸をインクリメントしてＴ＝−４とする（Ｓ２６）。次にＮ＝ｎ（ｎは１０）になったかを判定し、Ｎ＝ｎでなければ（Ｓ２７でＮＯ）、ステップＳ２１に戻って繰り返す。ステップＳ２７でｎ＝１０となると（Ｓ２７でＹＥＳ）、通信結果記憶部１５に記憶された通信結果のパターンを読み出す（Ｓ２８）。通信結果記憶部１５には、ＩＣタグ２の各時間ごとのパターンが対応付けて記憶されている。そこで、それらのデータを変換部１４によりマトリックス状に展開して表示データに変換する（Ｓ２９）。展開したデータを表示制御部１３に渡すことにより表示部６にパターンを表示することができる（詳細は後述する）（Ｓ３０）。
【００１６】
図５は表示部６に表示された通信結果パターンの一例を示す図である。図５（ａ）は、アンテナ３の前を通過した時間を基準としてＩＣタグごとのデータを時間軸を揃え、リーダライタ４とＩＣタグ２との通信結果を時系列で表示したものである。縦軸にＩＣタグのＩＤ情報、横軸に時間「−３ｓ、−２ｓ、−１ｓ、０、＋１ｓ、＋２ｓ」を表す。また、大きな黒丸２０は通信結果が成功した場合を表し、小さな黒丸２１は通信結果が失敗した場合を表す。尚、各時間軸においては７回の試行を行なうものとする。
例えば、ＩＤ情報「００００３４００１２０１」は、−３ｓでは、５回目の試行回数で１回成功しており、−２ｓでは、５回目まで全て成功しており、６回目で失敗して、７回目で成功している。また、−１ｓ、０では、７回目まで全て成功している。更に＋１ｓでは、１回目と５、６、７回目が成功して、２、３、４回目が失敗している。以下、同様に試行回数毎に成功と失敗が表示されている。
表示方法の一つとして、アンテナ３を基準として時間軸を揃えて表示する方法がある。即ち、アンテナ３の位置を時間「０」として、ＩＣタグ２がアンテナ３に近づいてくる時間をマイナス時間とし、アンテナ３から遠ざかる時間をプラス時間と表すことができる。そして各時間におけるＩＤごとの通信結果をマトリックス状に表示する。これにより、アンテナ３に対してどの時間帯が通信結果が良好かを一目瞭然に判断することができる。
【００１７】
図５（ｂ）は、ＩＣタグ２の移動速度が等速である場合には、その速度情報を得てＩＣタグ２のベルトコンベア上の位置に変換して表示することができる。図５（ｂ）ではベルトコンベア１の移動速度が５０ｃｍ／ｓである場合の図である。即ち、横軸に図５（ａ）の各時間をアンテナ３からの距離「−１５０ｃｍ、−１００ｃｍ、−５０ｃｍ、０、＋５０ｃｍ、＋１００ｃｍ」として表すことができる。即ち、ベルトコンベア１の速度が等速の場合は、その速度情報からＩＣタグ２の位置に変換することができる。そして、アンテナ３を基準とすると、アンテナ３に近づいてくる方向の位置をマイナスとし、アンテナから遠ざかる位置をプラスと表すことができる。そして、各位置におけるＩＤ情報ごとの通信結果をマトリックス状に表示する。これにより、アンテナ３に対してどの位置が通信結果が良好かを一目瞭然に判断することができる。
【００１８】
図５（ｃ）は、各ＩＣタグの時間軸が揃っていることを利用して、各ＩＣタグとの通信結果から読取成功率を表示した図である。例えば、一つの位置の枠内の成功した黒丸２０の数から成功率を割り出す。例えば、−１５０ｃｍの位置では、４２回の試行回数のうち１３回成功しているので、成功率は３１％となる。以下同様にして各枠毎に成功率を割り出す。即ち、各ＩＣタグ２の時間軸が揃っている場合、各時間帯、或いは各位置における通信結果を成功率として分析することができる。これにより、各時間帯、或いは各位置での情報の信頼性を定量的に把握することができる。
図５（ｄ）は、ＩＣタグの読取状況をつかみやすくするために、ＩＣタグごとのデータをソートして表示した図である。例えば、読取成功率順にソートすると図５（ｄ）のようになる。即ち、ＩＤ情報「００００３４００１２０６」が最も成功率が高く、ＩＤ情報「００００３４００１２０４」が最も成功率が低いのがわかる。ＩＣタグごとに最大受信強度、又は試行成功回数をデータとして取得することにより、そのデータに基づいて順番を並べ替えることができる。これにより、各ＩＣタグのどの特性が優れているか、或いは劣っているかを比較して把握することができる。また、取得した各ＩＣタグごとの情報は、結果を見やすく、且つ理解しやすくするために、数値化したり、記号を用いたり、或いは色別に識別することが考えられる。それにより、情報の比較、整理、選別を容易に行うことができる。
【図面の簡単な説明】
【００１９】
【図１】本発明の一実施形態に係る読取範囲調査システムの概略構成図である。
【図２】表示制御装置の機能を説明するための機能ブロック図である。
【図３】図１の読取範囲調査システムの動作を説明するフローチャートである。
【図４】図１の読取範囲調査システムの動作を説明するフローチャートである。
【図５】表示部６に表示された通信結果パターンの一例を示す図である。
【符号の説明】
【００２０】
１  ベルトコンベア、２  ＩＣタグ、３  アンテナ、４  リーダライタ、５  表示制御装置、６  表示部、１０  通信部、１１  通信結果判定部、１２  制御部、１３  表示制御部、１４  変換部、１５  通信結果記憶部、１００  読取範囲調査システム
【図１】
2010134834.tif 000003
【図２】
2010134834.tif 000004
【図３】
2010134834.tif 000005
【図４】
2010134834.tif 000006
【図５】
2010134834.tif 000007